(57)【要約】【課題】視聴者等がテレビ画面に表示されたＥＰＧで指定した番組に関する詳細な番組情報を視聴者等の手元で好適に表示することができる遠隔制御装置、テレビジョン装置、番組情報表示システム及び番組情報表示方法を提供する。【解決手段】リモコン装置１２１では、操作部１２２による遠隔操作によりＤＴＶ１０１に表示されたＥＰＧを用いて詳細な番組情報を表示させる番組を選択する。これにより、ＤＴＶ１０１に対して、詳細な番組情報の送信を、操作部１２２からの信号を赤外線信号に変換して赤外線送信部１２３から送信して要求する。そして、要求された詳細な番組情報をＤＴＶ１０１から赤外線受信部１２４で受信してそれをテキストデータに変換する。そして、リモコン制御部１２７は、そのテキストデータを表示制御部１２５に渡し、表示制御部１２５はテキストデータを基に画面を構成し、表示部１２６へ出力する。【選択図】  図７
2004194249.tif 000002
【特許請求の範囲】
【請求項１】
番組に関する番組情報を番組表の形態で表示するテレビジョン装置を遠隔操作するための遠隔制御装置であって、
前記テレビジョン装置に表示された前記番組表に含まれる複数の番組のうち何れかの番組を指定する指定手段と、
前記指定手段により指定された番組に関し、前記番組表に表示された番組情報より詳細な番組情報の送信を前記テレビジョン装置に要求する要求手段と、
前記要求手段で要求された前記詳細な番組情報を前記テレビジョン装置から受信する受信手段と、
前記受信手段で受信された前記詳細な番組情報を表示する表示手段と
を備えることを特徴とする遠隔制御装置。
【請求項２】
複数の方向への移動指示を行う方向指示手段と、
該方向指示手段によって前記テレビジョン装置に表示された前記番組表を操作させる第１のモードと前記表示手段に表示された前記詳細な番組情報を操作させる第２のモードとを切り替えるモード切替手段とをさらに備え、
前記方向指示手段は、
前記第１のモードの場合、前記テレビジョン装置に表示されている前記番組表内の任意の番組表示位置を移動指示することにより、詳細な番組情報を表示させる番組を指定し、
前記第２のモードの場合、前記表示手段で部分表示された前記詳細な番組情報を複数の方向へスクロールすることにより、スクロール前に不可視であった該詳細な番組情報の他の部分を表示させる
ことを特徴とする請求項１記載の遠隔制御装置。
【請求項３】
前記詳細な番組情報が複数の項目名と該項目についての内容とから構成される場合、前記表示手段は、該詳細な番組情報を項目ごとに表示し、
前記受信手段で受信された前記詳細な番組情報を記憶する記憶手段と、
異なる項目についての内容を前記項目名を切り替えて前記表示手段に表示させる切替手段と
をさらに備えることを特徴とする請求項１又は２に記載の遠隔制御装置。
【請求項４】
前記受信手段で受信された前記詳細な番組情報を記憶する記憶手段と、
前記受信手段で同一の番組に関する詳細な番組情報が新たに受信された場合、前記記憶手段に記憶されている該番組に関する詳細な番組情報を上書きする上書手段と、
前記記憶手段に記憶された詳細な番組情報を読み出す読出手段と
をさらに備えることを特徴とする請求項１又は２に記載の遠隔制御装置。
【請求項５】
前記記憶手段が、前記詳細な番組情報について前記受信手段で受信された時間を併せて記憶し、
前記読出手段が、前記記憶手段に最も新しく記憶された番組についての詳細な番組情報を昇順に読み出す
ことを特徴とする請求項４記載の遠隔制御装置。
【請求項６】
前記詳細な番組情報が、ＡＲＩＢ  ＳＴＤ−Ｂ１０に定められた短形式イベント記述子と拡張イベント記述子とから成る文字情報であること特徴とする請求項１から５までのいずれか１項に記載の遠隔制御装置。
【請求項７】
請求項１から６までのいずれか１項に記載の遠隔制御装置によって遠隔操作されるテレビジョン装置であって、
番組表を表示する表示手段と、
前記遠隔制御装置からの要求に基づいて、前記指定手段により指定された番組に関する詳細な番組情報を前記遠隔制御装置に対して送信する送信手段と
を備えることを特徴とするテレビジョン装置。
【請求項８】
番組に関する番組情報を番組表の形態で表示するテレビジョン装置と該テレビジョン装置を遠隔操作するための遠隔制御装置とを備える番組情報表示システムであって、
前記遠隔制御装置が、
前記テレビジョン装置に表示された前記番組表に含まれる複数の番組のうち何れかの番組を指定する指定手段と、
前記指定手段により指定された番組に関し、前記番組表に表示された番組情報より詳細な番組情報の送信を前記テレビジョン装置に要求する要求手段と、
前記要求手段で要求された前記詳細な番組情報を前記テレビジョン装置から受信する受信手段と、
前記受信手段で受信された前記詳細な番組情報を表示する第１の表示手段とを備え、
前記テレビジョン装置が、
前記番組表を表示する第２の表示手段と、
前記遠隔制御装置からの要求に基づいて、前記指定手段により指定された番組に関する詳細な番組情報を前記遠隔制御装置に対して送信する送信手段とを備える
ことを特徴とする番組情報表示システム。
【請求項９】
前記遠隔制御装置が、
複数の方向への移動指示を行う方向指示手段と、
該方向指示手段によって前記テレビジョン装置に表示された前記番組表を操作させる第１のモードと前記表示手段に表示された前記詳細な番組情報を操作させる第２のモードとを切り替えるモード切替手段とをさらに備え、
前記方向指示手段は、
前記第１のモードの場合、前記テレビジョン装置に表示されている前記番組表内の任意の番組表示位置を移動指示することにより、詳細な番組情報を表示させる番組を指定し、
前記第２のモードの場合、前記表示手段で部分表示された前記詳細な番組情報を複数の方向へスクロールすることにより、スクロール前に不可視であった該詳細な番組情報の他の部分を表示させる
ことを特徴とする請求項８記載の番組情報表示システム。
【請求項１０】
前記遠隔制御装置が、
前記詳細な番組情報が複数の項目名と該項目についての内容とから構成される場合、前記第１の表示手段は、該詳細な番組情報を項目ごとに表示し、
前記受信手段で受信された前記詳細な番組情報を記憶する記憶手段と、
異なる項目についての内容を前記項目名を切り替えて前記表示手段に表示させる切替手段と
をさらに備えることを特徴とする請求項８又は９に記載の番組情報表示システム。
【請求項１１】
前記遠隔制御装置が、
前記受信手段で受信された前記詳細な番組情報を記憶する記憶手段と、
前記受信手段で同一の番組に関する詳細な番組情報が新たに受信された場合、前記記憶手段に記憶されている該番組に関する詳細な番組情報を上書きする上書手段と、
前記記憶手段に記憶された詳細な番組情報を読み出す読出手段と
をさらに備えることを特徴とする請求項８又は９に記載の番組情報表示システム。
【請求項１２】
前記遠隔制御装置において、
前記記憶手段が、前記詳細な番組情報について前記受信手段で受信された時間を併せて記憶し、
前記読出手段が、前記記憶手段に最も新しく記憶された番組についての詳細な番組情報から昇順に読み出す
ことを特徴とする請求項１１記載の番組情報表示システム。
【請求項１３】
前記詳細な番組情報が、ＡＲＩＢ  ＳＴＤ−Ｂ１０に定められた短形式イベント記述子と拡張イベント記述子とから成る文字情報であること特徴とする請求項８から１２までのいずれか１項に記載の番組情報表示システム。
【請求項１４】
前記詳細な番組情報が、赤外線によって前記遠隔制御装置と前記テレビジョン装置との間を送受信されることを特徴とする請求項８から１３までのいずれか１項に記載の番組情報表示システム。
【請求項１５】
番組に関する番組情報を番組表の形態で表示するテレビジョン装置と該テレビジョン装置を遠隔操作するための遠隔制御装置とを用いた番組情報表示方法であって、
前記遠隔制御装置が、前記テレビジョン装置に表示された前記番組表に含まれる複数の番組のうち何れかの番組を指定し、指定された番組に関して前記番組表に表示された番組情報より詳細な番組情報の送信を要求し、
前記テレビジョン装置が、前記遠隔制御装置からの要求により前記指定された番組の詳細な番組情報を前記遠隔制御装置に対して送信し、
前記遠隔制御装置が、要求された前記詳細な番組情報を前記テレビジョン装置から受信して該詳細な番組情報を表示する
ことを特徴とする番組情報表示方法。
【発明の詳細な説明】
【０００１】
【発明の属する技術分野】
本発明は、電子番組表（Electronic Program Guide、以下「ＥＰＧ」と称す。）を表示する技術に関する。
【０００２】
【従来の技術】
現在行われている通信衛星（Communication Satellite：ＣＳ）、放送衛星（Broadcast Satellite：ＢＳ）を用いたディジタル衛星テレビ放送においては、視聴者サービスの一環として番組情報データを他の映像データ等と共に送信している。また、今後検討される地上波ディジタルテレビ放送においても、同様のサービスが行われると考えられる。この番組情報データには、例えば、チャンネル名、番組名、放送日時、番組内容等の情報が含まれており、テレビ受信機により受信され、例えば時間軸とチャネル軸によりマトリックス状に構成された電子番組表（ＥＰＧ）としてテレビ受信機の表示部に表示することが可能である。
【０００３】
また、テレビ受信機を遠隔操作可能なリモコン装置に備えた表示部にＥＰＧを表示することができるテレビ受信機システムもある（例えば、特許文献１参照）。
【０００４】
ここで、ＥＰＧを構成するための主なデータについて説明する。尚、本説明は、社団法人電波産業会標準規格（ＡＲＩＢ  ＳＴＤ−Ｂ１０）「ディジタル放送に使用する番組配列情報」及びＢＳディジタル放送運用規定（ＡＲＩＢ  ＴＲ−Ｂ１５）に記載されている内容に基づいて行うが、ここでは、後述する本発明の実施形態を説明するために必要な最低限のデータについての説明のみであり、上記規格中に記述されている全データの構造の説明ではない。
【０００５】
図１は、典型的なＥＰＧ画面例を示す概要図である。例えば、図１に示すようなＥＰＧ画面は、イベント情報テーブル（Event Information Table：ＥＩＴ）のデータ中の図２、図３に示すような記述子のデータ等から構成される。尚、イベントとは番組を表す。
【０００６】
図２は、ＥＰＧデータである短形式イベント記述子のデータ構造の一例を示す図であり、次に示すように、イベント名及びイベントに関する短い文字情報を示している。
【０００７】
「descriptor_tag」は、種々の記述子を識別するために各記述子毎に個別に割り当てられる識別番号（タグ値）であり、短形式イベント記述子においては、0x4Dが割り当てられている。
【０００８】
「descriptor_length」は、このフィールドの直後に続く記述子のデータ部分の全バイト長を規定する。
【０００９】
「ISO_639_language_code」は、後続の文字情報フィールドの言語をISO639-2に規定されるアルファベット３文字コードで表わし、例えば、日本語は、jpn(0x6A706E)である。
【００１０】
「event_name_length」は、後述する後続の番組名のバイト長を表す。
【００１１】
「event_name_char」は、番組名を示す一連の文字情報フィールドを表し、全角40文字以下で記述する。
【００１２】
「text_length」は、後述する後続の番組記述のバイト長を表わしている。
【００１３】
「text_char」は、番組の説明を記述している一連の文字情報フィールドを表し、全角８０文字以下で記述する。
【００１４】
また、図３は、ＥＰＧデータである拡張イベント記述子のデータ構造の一例を示す図であり、次に示すようにイベントに関する詳細な文字情報を示している。尚、この記述子は、オプションである。
【００１５】
「descriptor_tag」は、種々の記述子を識別するために各記述子毎に個別に割り当てられる識別番号（タグ値）であり、短形式イベント記述子においては、0x4Eが割り当てられている。
【００１６】
「descriptor_length」は、このフィールドの直後に続く記述子のデータ部分の全バイト長を規定する。
【００１７】
「descriptor_number」は、情報を分割して記述する際の、拡張形式イベント記述子番号を表す。
【００１８】
「last_descriptor_number」は、分割した一連の記述子の最終形式イベント記述子番号を表す。
【００１９】
「ISO_639_language_code」は、後続の文字情報フィールドの言語をISO639-2に規定されるアルファベット３文字コードで表わし、日本語は、jpn(0x6A706E)となる。
【００２０】
「length_of_items」は、項目のバイト長を表している。
【００２１】
「item_description_lenth」は、後述する後続の項目名のバイト長を表わしている。
【００２２】
「item_description_char」は、項目名を示す一連の文字情報フィールドを表す。
【００２３】
「item_length」は、後述する後続の項目記述のバイト長を表している。
【００２４】
「item_char」は、項目の内容を記述している一連の文字情報フィールドを表し、全角100文字以下で記述する。
【００２５】
「text_length」は、0x00である。
【００２６】
「text_char」のフィールドは、何も記述しない。
【００２７】
図４は、テレビ受信機の遠隔操作を行うための従来の遠隔操作装置（リモコン装置）の一例を示す図である。従来は、図４に示すようなリモコン装置２１を操作して、例えば、ＥＰＧ表示キー２２を押下してＥＰＧを表示させ、フォーカス移動キー２３〜２６を用いて、番組情報を表示させる番組を指定して、番組情報キー２７を押下して表示させていた。
【００２８】
まず、ユーザは、リモコン装置２１のＥＰＧ表示キー２２を用いて、テレビ受信機の画面に図１に示すようなＥＰＧ画面を表示する。例えば、ＥＰＧ画面として、縦軸を時間帯５〜８、横軸をチャンネル番号９〜１２としてマトリックス状の番組枠を配置する。そして、各番組枠内には番組名を表示し、ＥＰＧの上部別枠３には、現在フォーカスしている番組名を表示する。符号４はフォーカスを示しており、例えば、図１に示すように「明日×××」２の番組枠に表示する。「明日×××」２、１３の文字情報は、上述した「event_name_char」のテキストデータを基に表示する。
【００２９】
このフォーカス４を、リモコン装置のフォーカス移動キー２３〜２６の操作により、番組枠から番組枠へ移動する。但し、フォーカスが画面上の番組表の最も右側の番組枠に位置する時に、リモコン装置２１の右移動キー２４の操作を行うと、画面スクロールをして次のチャンネルの表示するものとする。また、左方向も同様なスクロールを行い、上下方向の場合は、画面スクロールによって次の１時間の表示を行うものとする。
【００３０】
次に、ユーザは、リモコン装置のフォーカス移動キー２３〜２６を操作して、図５に示すように、「スクール２」６３にフォーカス６２を合わせる。図５は、図１に示されるＥＰＧ画面からフォーカスが移動した場合のＥＰＧ画面の表示例を示す図である。そして、番組情報キー２７を操作すると、上述の「text_char」と「item_description_char」と「item_char」のテキストデータを基に、図６に示すような番組情報を表示する。図６は、テレビ受信機の画面に表示された番組情報に関するＥＰＧ画面の一例を示す図である。図６に示すように、この番組情報は、番組概要と番組詳細情報で構成され、番組概要は「text_char」のテキストデータ、番組詳細情報は「item_description_char」及び「item_char」のテキストデータに基づいて表示する。
【００３１】
尚、ＢＳディジタル放送運用規定では、「item_description_char」で示した１つの項目に対して、最大２つの拡張イベント記述子を使用できる。すなわち、１項目における内容記述は、最大２００文字までであり、図６に示すように「前回までのあらすじ」８４と「出演」８６の項目内容８５、８７は、それぞれ２００文字以内で記述される。また、項目及び項目内容は、１つの番組に対して、複数あっても構わない。
【００３２】
【特許文献１】
特開２０００−２２４４３７号公報
【００３３】
【発明が解決しようとする課題】
しかしながら、番組内容等の番組情報（すなわち、文字情報）をテレビ画面で閲覧する場合、至近距離で画面上の文字を読むようなパーソナルコンピュータ等の環境とは異なり、ある程度の距離を離れてテレビ画面を閲覧するので、視聴者からは画面に表示された文字が小さく見えてしまい、文字や番組内容の認識が非常に困難になるという問題があった。
【００３４】
本発明は、このような事情を考慮してなされたものであり、視聴者等がテレビ画面に表示されたＥＰＧで指定した番組に関する詳細な番組情報を視聴者等の手元で好適に表示することができる遠隔制御装置、テレビジョン装置、番組情報表示システム及び番組情報表示方法を提供することを目的とする。
【００３５】
【課題を解決するための手段】
上記課題を解決するため、本発明に係る遠隔制御装置は、番組に関する番組情報を番組表の形態で表示するテレビジョン装置を遠隔操作するための遠隔制御装置であって、
前記テレビジョン装置に表示された前記番組表に含まれる複数の番組のうち何れかの番組を指定する指定手段と、
前記指定手段により指定された番組に関し、前記番組表に表示された番組情報より詳細な番組情報の送信を前記テレビジョン装置に要求する要求手段と、
前記要求手段で要求された前記詳細な番組情報を前記テレビジョン装置から受信する受信手段と、
前記受信手段で受信された前記詳細な番組情報を表示する表示手段と
を備えることを特徴とする。
【００３６】
【発明の実施の形態】
以下、図面を参照して、本発明の好適な実施形態について説明する。
【００３７】
＜第１の実施形態＞
図７は、本発明の第１の実施形態に係るディジタルテレビ放送受信システムの細部構成を示すブロック図である。図７に示すように、本実施形態に係るディジタルテレビ放送受信システムは、ディジタルテレビ（以下、「ＤＴＶ」と称す。）１０１と遠隔からの操作によって各種操作が可能なリモコン装置１２１とから構成される。
【００３８】
まず、ＤＴＶ１０１の詳細について説明する。
【００３９】
アンテナより受信した信号は、信号処理部１０２に入力され、映像データ、音声データ及びＥＰＧデータに分離される。さらに、信号処理部１０２は、映像データ及び音声データをデコードし、それぞれ表示音声制御部１０３を介して、表示部１０５及び音声出力部１０４へ出力する。また、信号処理部１０２で分離されたＥＰＧデータは、メモリ１０６に格納される。
【００４０】
ＥＰＧ画像構成部１０７は、メモリ１０６中に格納されたＥＰＧデータから、表示するＥＰＧ画像に応じて必要なデータを抽出し、そのデータをもとに構成処理を行い、後述する表示音声制御部１０３へ出力する。また、ＥＰＧ画像構成部１０７は、フォーカス発生部１１０からのフォーカス位置情報を受け取った場合、所望の位置にフォーカスを描画したＥＰＧ画像を構成し、同様に表示音声制御部１０３へ出力する。
【００４１】
表示音声制御部１０３は、入力された音声、映像を同期させて音声出力部１０４、表示部１０５に出力する。また、表示音声制御部１０３は、後述する赤外線受信部１０９からの信号をトリガーにして、入力されたＥＰＧ画像を、表示部１０５へ出力する。赤外線受信部１０９は、リモコン装置１２１からのＥＰＧ表示、番組情報表示又はフォーカス移動等の赤外線信号を受信する。一方、赤外線送信部１０８は、後述するシステム制御部１１１によってメモリ１０６から取り出された番組名及び番組情報のテキストデータを赤外線信号に変換し、リモコン装置１２１へ送信する。
【００４２】
尚、本実施形態では、番組情報は、前述したように、番組概要と番組詳細情報とを表すものとする。システム制御部１１１は、上述した表示音声制御部１０３、ＥＰＧ画像構成部１０７、メモリ１０６、フォーカス発生部１１０、赤外線受信部１０９及び赤外線送信部１０８を統合的に制御する。
【００４３】
すなわち、本発明に係るＤＴＶ１０１は、以下に示すリモコン装置１２１によって遠隔操作され、表示音声制御部１０３やＥＰＧ画像構成部１０７等の作動により、ＥＰＧを表示する表示部１０５、リモコン装置１２１からの要求に基づいて、詳細な番組情報を表示させる番組を選択するフォーカス発生部１１０と、選択された番組に関する詳細な番組情報をリモコン装置１２１に対して送信する赤外線送信部１０８とを備えることを特徴とする。
【００４４】
次に、リモコン装置１２１の詳細について説明する。
【００４５】
まず、操作部１２２は、例えば、リモコン装置１２１のキーのユーザー操作を信号に変換し、赤外線送信部１２３に出力する。赤外線送信部１２３は、操作部１２２からの信号を赤外線信号に変換してＤＴＶ１０１に送信する。一方、赤外線受信部１２４は、ＤＴＶ１０１からの赤外線信号を受信してテキストデータに変換する。そして、リモコン制御部１２７は、テキストデータを赤外線受信部１２４から表示制御部１２５に渡す。表示制御部１２５は、受け取ったテキストデータを基に画面を構成し、表示部１２６へ出力する。また、リモコン制御部１２７は、上述した操作部１２２、赤外線送信部１２３、赤外線受信部１２４及び表示制御部１２５を統合的に制御する。
【００４６】
すなわち、以下に示すように、本発明に係るリモコン装置１２１は、ＥＰＧを表示するＤＴＶ１０１を遠隔操作するための遠隔制御装置である。ここで、ＤＴＶ１０１に表示されたＥＰＧを用いて詳細な番組情報を表示させる番組を選択して、ＤＴＶ１０１に対して詳細な番組情報の送信を、操作部１２２からの信号を赤外線信号に変換して赤外線送信部１２３からＤＴＶ１０１に送信して要求する。そして、要求された詳細な番組情報をＤＴＶ１０１から赤外線受信部１２４で受信してテキストデータに変換する。そして、リモコン制御部１２７は、そのテキストデータを表示制御部１２５に渡し、表示制御部１２５はテキストデータを基に画面を構成し、表示部１２６へ出力することを特徴とする。
【００４７】
図８は、本実施形態に係るリモコン装置本体の正面図である。図８において、１５１はリモコン装置本体、１５３はＤＴＶ１０１の表示部１０５にＥＰＧを表示するためのＥＰＧ表示キーである。また、１５２は表示部であり、液晶や有機ＥＬ等の表示デバイスである。さらに、１５４〜１５７は、ＥＰＧ中の番組枠に表示されたフォーカスを移動操作するためのフォーカス移動キー、１５８はフォーカスした番組の文字情報を得るための番組情報キーである。
【００４８】
次に、本実施形態において、リモコン装置本体１５１の操作によって番組の情報を得る際の処理について説明する。まず、図１に示されるテレビ画面上のＥＰＧにおいて、例えば、ユーザが番組「スクール××××」の番組情報を得るために、移動キー１５４〜１５７を用いてフォーカスを所望の位置に移動した後、リモコン装置本体１５１の番組情報キー１５８を押下する。
【００４９】
操作部１２２において番組情報キー１５８の入力があると、リモコン制御部１２７は、赤外線送信部１２３に番組情報キー入力通知を出力し、ＤＴＶ１０１に対して番組情報表示の操作信号を送信する。そして、リモコン制御部１２７は、操作部１２２をリモコン操作モードに切り替える。ここで、リモコン操作モードとは、表示部１２６の画面スクロール操作に移動キー１５４〜１５７を使用するためのモードであり、このモードにおいて、移動キー１５４〜１５７によるＥＰＧ上のフォーカス移動は不可になる。
【００５０】
尚、ＥＰＧ表示時における操作部１２２のデフォルトのモードはＥＰＧ操作モードであり、このモードにおいては、移動キー１５４〜１５７によるＥＰＧのフォーカス移動が可能であるが、移動キー１５４〜１５７により表示部１５２の画面スクロール操作は不可になる。
【００５１】
すなわち、本発明に係るリモコン装置１２１（遠隔制御装置）によれば、複数の方向への移動指示を行うための移動キー１５４〜１５７及び番組情報キー１５８と、ＤＴＶ１０１に表示された電子番組表を操作させる第１のモード（ＥＰＧ操作モード）と表示部１５２に表示された詳細な番組情報を操作させる第２のモード（リモコン操作モード）とを切り替えるリモコン制御部１２７とを備える。そして、移動キー１５４〜１５７及び番組情報キー１５８により、第１のモードの場合、ＤＴＶ１０１に表示されている電子番組表内の任意の番組表示位置を移動指示することにより、詳細な番組情報を表示させる番組を指定する。一方、第２のモードの場合であって、表示される詳細な番組情報が表示部１５２に一度に表示可能な文字数を越えているような場合、部分表示された詳細な番組情報を複数の方向（例えば、上下左右方向）へスクロールすることにより、スクロール前に不可視であった詳細な番組情報の他の部分を表示させることを特徴とする。
【００５２】
尚、以下に示す実施形態では、詳細な番組情報が、ＡＲＩＢ  ＳＴＤ−Ｂ１０に定められた短形式イベント記述子と拡張イベント記述子とから成る文字情報であること特徴とする。また、それらの詳細な番組情報が、赤外線によってリモコン装置１２１とＤＴＶ１０１との間を送受信されることを特徴とする。
【００５３】
また、番組情報キー１５８の押下により、番組情報表示の操作信号をＤＴＶ１０１に送信した後、リモコン制御部１２７は表示部１５２に図９に示すような「データ受信中」１８０のダイアログを表示するように、表示制御部１２５に対してダイアログ表示命令を出力する。すなわち、図９は、本実施形態に係るダイアログ表示命令を出力しているリモコン装置本体の正面図である。尚、本実施形態においては、ユーザに対してデータ受信中であることを伝達する手段として、表示部１７２にダイアログを表示しているが、その他にもＬＥＤが備えられたリモコン装置であれば、ＬＥＤを点滅するように制御するものであっても構わない。
【００５４】
以上のように、リモコン装置１２１より出力された番組情報表示の操作信号が、ＤＴＶ１０１の赤外線受信部１２４を介してシステム制御部１１１に入力される。この信号をトリガにして、システム制御部１１１は、メモリ１０６中のＥＰＧデータであるＥＩＴから、図５に示すようにフォーカス６４のある番組「スクール××××」６３の番組名テキストデータ、すなわち「event_name_char」と、番組概要テキストデータ、すなわち「text_char」と、番組詳細情報テキストデータ、すなわち「item_description_char」及び「item_char」を検索して取り出す。
【００５５】
そして、システム制御部１１１は、取り出したテキストデータを赤外線送信部１０８に渡し、リモコン１７１に送信する。システム制御部１１１は、全テキストデータ送信後、赤外線送信部１０８にデータ完了通知を出力し、リモコン１７１に全てのテキストデータの送信を完了したことを示すデータ完了信号を送信する。
【００５６】
次に、リモコン制御部１２７は、赤外線受信部１２４を介して受信したテキストデータ（すなわち、「event_name_char」、「text_char」、「item_description_char」及び「item_char」）を表示制御部１２５へ渡す。その後、リモコン制御部１２７は、赤外線受信部１２４を介して前述したデータ完了信号を受け取ると、表示部１７２にデータを表示させるように、テキスト表示命令を表示制御部１２５へ出力する。全テキストデータを受け取った表示制御部１２５は、前述のテキスト表示命令が入力された時点でテキストデータを構成する。
【００５７】
図１０は、本実施形態に係る詳細な番組情報を表示しているリモコン装置本体の正面図である。図１０の画面中央部分には、番組概要２１０、２１１と番組詳細情報２１３の項目名である「前回までのあらすじ」２１４とその項目の内容２１５とが表示され、その下部に下方向に画面スクロールできることを示す下三角マーク２１６を表示する。尚、本実施形態では下三角マーク２１６を表示しているが、代わりに、パーソナルコンピュータ（ＰＣ）のウィンドウに表示されるスクロールバーのような形態であっても構わない。
【００５８】
一方、画面上部には、どの番組の詳細情報かを判別できるように、番組名「スクール××××」２０９を表示する。また、画面最下部には、リモコン装置２０１の操作部１２２を前述したＥＰＧ操作モードに戻す操作キー、すなわち左移動キーのマーク２０５を表示する。すなわち、ユーザによって左移動キー２０５が押下されると、操作部１２２はリモコン操作モードからＥＰＧ操作モードに戻り、ＤＴＶ１０１の表示部１０５に出力されたＥＰＧ上のフォーカス移動操作ができるようになる。
【００５９】
ここで、ＥＰＧ操作モードでは、画面最下部には先ほどの左移動キーのマークはなく、図１１に示すような表示となる。図１１は、本実施形態に係るＥＰＧ操作モードにおけるリモコン装置本体の正面図である。尚、本実施形態では左移動キー２０５によってＥＰＧ操作モードに遷移したが、リモコン装置２０１に専用キーを設けても構わない。
【００６０】
リモコン操作モードである図１０に示す画面において、下移動キー２０６を押していくと、リモコン装置２０１の表示制御部１２５が画面スクロールして表示される。そして、図１２に示すような表示が表示部２３２にされる。すなわち、図１２は、本実施形態に係る画面スクロール後のリモコン装置本体の正面図である。図１２に示すように、画面中央部分の最上部に、上方向に画面スクロールできることを示す上三角マーク２４３が表示される。
【００６１】
また、ＤＴＶ１０１からリモコン装置に送られる番組情報テキストデータが、表示部２３２の一画面に収まる場合は、表示制御部１２５は図１２の表示部２７２のように表示する。すなわち、画面中央部分の最上下部に、上下方向に画面スクロールできることを示す上下の三角マークは表示しない。
【００６２】
図１３は、本実施形態に係るＤＴＶ１０１のシステム制御部１１１が行う処理を説明するためのフローチャートである。まず、システム制御部１１１は、赤外線受信部１０９から番組情報表示の操作信号が入力される（ステップＳ１０１）。これにより、メモリ１０６中のＥＩＴから、ＥＰＧ上でフォーカスしている番組の短形式イベント記述子の「event_name_char」及び「text_char」を検索する（ステップＳ１０２）。そして、それらのテキストデータを赤外線送信部１０８に出力する（ステップＳ１０３）。
【００６３】
次に、メモリ１０６中のＥＩＴからＥＰＧ上でフォーカスしている番組の拡張イベント記述子を順次検索する（ステップＳ１０４）。その結果、拡張イベント記述子を見つけた場合、「item_description_char」及び「item_char」のテキストデータを赤外線送信部１０８に出力する（ステップＳ１０５）。そして、ステップＳ１０４の処理に戻り、引き続き順次検索を行って同様の処理を繰り返す。
【００６４】
一方、ステップＳ１０４の処理において、メモリ１０６中の検索が全て終了した場合、赤外線送信部１０８にデータ完了通知を出力し（ステップＳ１０６）、一連の処理を終了する。
【００６５】
図１４は、本実施形態に係るリモコン装置１２１のリモコン制御部１２７が行う処理を説明するためのフローチャートである。
【００６６】
まず、リモコン制御部１２７は、操作部１２２を介して番組情報キー２０８が入力される（ステップＳ２０１）。これにより、ＤＴＶ１０１に対して番組情報表示の操作信号を送信するように、赤外線送信部１２３に対して番組情報キー入力通知を出力する（ステップＳ２０２）。そして、操作部１２２をＥＰＧ操作モードからリモコン操作モードに切り替え（ステップＳ２０３）、表示部１２６に「データ受信中」のダイアログを表示するように、表示制御部１２５にダイアログ表示命令を出力する（ステップＳ２０４）。
【００６７】
次に、ＤＴＶ１０１から赤外線受信部１２４が受信した信号を監視する（ステップＳ２０５）。その結果、「event_name_char」等のテキストデータを受信した場合は、表示制御部１２５へテキストデータを渡し（ステップＳ２０６）、ステップＳ２０５の処理に戻って、同様な処理を繰り返す。一方、ステップＳ２０５の処理でデータ完了信号を受信した場合は、表示制御部１２５へテキスト表示命令を出力し（ステップＳ２０７）、一連の処理を終了する。
【００６８】
尚、リモコン装置１２１で詳細な番組情報を表示する場合、ＤＴＶ１０１においては、同様の詳細な番組情報を表示せずに、例えば対応する番組の画面を表示してもよいし、或いはリモコン装置１２１で表示している詳細な番組情報を同時に表示するようにしてもよい。
【００６９】
以上説明したように、ユーザは、手元のリモコン装置１２１の表示部１２６において、詳細な番組情報、すなわちテキストデータを閲覧することが可能となるので、離隔して見えにくいテレビ画面上の文字を読む必要がなく、視聴者等の手元で好適に表示され、手元での閲覧が可能となる。
【００７０】
＜第２の実施形態＞
以下、本発明の第２の実施形態について、図面を参照して詳細に説明する。図１５は、本発明の第２の実施形態におけるリモコン装置において番組情報キー５０９を押下した際の表示部５０２を示す図である。尚、以降の説明において、特に説明のない事項に関しては、上述した第１の実施形態と同様であるものとする。
【００７１】
図１５に示されるように、画面上部の番組名「スクール××××」５１０の下段に「番組概要」５１１を表示する。また、「番組概要」５１１の右部分に、番組詳細情報の項目名及び項目内容の表示へ切り替えが可能なことを示す、右移動キーのマーク５１４を表示する。さらに、画面中央部には、画面上部の「番組概要」５１１に関するテキストデータ５１２が表示される。
【００７２】
ここで、ユーザが右移動キー５０７を押下すると、表示制御部１２５が図１６における表示部５５２のように詳細情報の項目名と項目内容の表示に切り替えられる。図１６及び図１７は、本発明の第２の実施形態のリモコン装置の表示部の推移について説明するための図である。すなわち、画面上部の表示は、項目名「前回までのあらすじ」５１１となり、画面中央部の項目内容は、項目名「前回までのあらすじ」５１１に関する項目内容５１２を表示し、項目名の右部分には、次の項目名及び項目内容の表示に切り替えが可能なことを示す、右移動キーのマーク５１４が表示される。
【００７３】
さらに、ユーザが右移動キー５０７を押下すると、図１７に示す表示部６０２のように画面上部の項目名が「出演」６１０となり、画面中央部の項目内容は、項目名「出演」６１０に関する項目内容６１１を表示する。また、項目名の右部分には、右移動キーのマーク６１３が表示され、ユーザが右移動キー６０７を押下すると、同様に次の項目名及び項目内容へ表示が切り替えられる。また、右移動キー６０７をさらに押下し、最後の項目の表示まで到達した時点で、次に右移動キー６０７を押下すると、最初に表示した図１５に示すような「番組概要」５１１の表示に戻り、以降は同様な動作を繰り返すものとする。
【００７４】
すなわち、本実施形態に係るリモコン装置１２１（遠隔制御装置）は、詳細な番組情報が複数の項目名と該項目についての内容とから構成される場合、表示部１２６が詳細な番組情報を項目ごとに表示する。このため、リモコン装置１２１は、上述した第１の実施形態における構成に加えてさらに、赤外線受信部１２４で受信された詳細な番組情報を記憶する内部メモリを備え、表示制御部１２５によって、異なる項目についての内容を項目名を切り替えて表示部１２６に表示させることを特徴とする。
【００７５】
以上説明したように、本実施形態によれば、リモコン装置１２１では、受信した番組情報文字データを、番組概要や項目単位で表示部に出力することが可能である。また、番組情報の表示時に、番組概要や項目単位毎に切り替えることが可能となるので、ユーザは項目数の多い番組情報や番組情報文字データが多い場合であっても途中をスキップさせ、快適に所望の項目を閲覧することができる。
【００７６】
＜第３の実施形態＞
以下、本発明の第３の実施形態について、図面を用いて詳細に説明する。図１８は、本発明の第３の実施形態におけるリモコン装置本体の正面図である。尚、本実施形態においても、特に説明を付加しない事項に関しては、上述した第１の実施形態と同様であるものとする。
【００７７】
図１８に示すリモコン装置３５１において、符号３５４は履歴表示キーであり、内部メモリを有しており、表示制御部１２５が番組情報キー３５９によって過去に取得したデータを表示部３５２に表示するものである。
【００７８】
まず、図１に示されるようなＥＰＧの表示時において、番組情報キー３５９の押下操作をすると、ＤＴＶ１０１より受信した番組情報テキストデータが、表示制御部のメモリに格納される。そして、番組「明日×××」２に関するテキストデータ、すなわち番組名３７９、番組概要３８１、項目名３８２及び項目内容３８５を、図１９に示すように表示部３７２に出力表示する。本発明の第３の実施形態におけるリモコン装置において詳細な番組情報を表示している状態のリモコン装置本体を示す図である。
【００７９】
次に、フォーカス移動キー３７４〜３７７の操作により、図５に示すように番組「スクール××××」６３を選択し、番組情報キー３７８の押下操作をすると、ＤＴＶ１０１より受信した番組情報テキストデータが、表示制御部１２５の内部メモリに前のデータを上書きすることなく格納される。そして、図２０に示すように、番組「スクール××××」に関するテキストデータ、すなわち番組名４１１、番組概要４１３、項目名４１５及び項目内容４１７を、表示部４０２に出力表示する。
【００８０】
このようにして、表示制御部１２５は、ＤＴＶ１０１から受信したテキストデータを上書きすることなく、複数の番組に関するテキストデータを内部メモリに記憶保持することができる。但し、テキストデータを記憶保持可能な番組数は、メモリの容量に応じて上限数が決定される。また、番組情報キー４１０を押下した時にフォーカスしている番組が、以前に記憶したものと同一番組であれば、内部メモリ中の以前のテキストデータに上書きするものとする。
【００８１】
その後、ユーザがリモコン装置４０１の履歴キー４０４を押すと、表示制御部１２５は一つ前に記憶した番組情報テキストデータを内部メモリより出力し、図１９に示す表示部３７２のように「明日×××」の番組情報に表示を切り替える。この間の、ＥＰＧ上のフォーカスはどこの番組にあっても構わない。さらに履歴キー３７４を押すと、表示制御部１２５は内部メモリ中のデータより、図２０に示す表示部４０２のように「スクール××××」の番組情報に表示を切り替える。この間も同様に、ＥＰＧ上のフォーカスはどこの番組にあっても構わない。図２０は、本実施形態に係るリモコン装置で詳細な番組情報の表示を切り替えた場合の様子を示す図である。
【００８２】
尚、本実施形態においては、２つの番組に関する番組情報テキストデータを記憶したが、２つ以上の場合も同様であり、履歴キー３５４を押下する毎に記憶した時間の新しい順に番組情報を切り替えて表示すればよい。また、履歴キー３５４をさらに押下し、一番記憶した時間の古い番組情報の表示まで到達した時点で、次に履歴キー３５４を押すと、最も新しく記憶した番組情報の表示に戻り、以降、同様な動作を繰り返す。
【００８３】
すなわち、本実施形態に係るリモコン装置１２１は、赤外線受信機１２４で受信されたＤＴＶ１０１から送信された詳細な番組情報を内部メモリに記憶する。そして、赤外線受信機１２４で同一の番組に関する詳細な番組情報が新たに受信された場合、表示制御部１２５は、内部メモリに記憶されている当該番組に関する詳細な番組情報を上書きする。また、表示制御部１２５は、内部メモリに記憶された詳細な番組情報を読み出し、表示部１２６に表示する。これにより、上述したように、詳細な番組情報の表示を内部メモリに記憶されているものについては容易に切り替えることができる。
【００８４】
また、本実施形態に係るリモコン装置１２１では、上述した内部メモリが、詳細な番組情報について赤外線受信部１２４で受信された時間を併せて記憶し、表示制御部１２５が、内部メモリに最も新しく記憶された番組についての詳細な番組情報を昇順に読み出すことを特徴とする。これによって、過去に受信した番組情報を閲覧する際に、例えば最近のものから順に表示することができ、フォーカス移動のユーザ操作を省略することができる。尚、これは昇順だけに限らず、同一の曜日や同一の月のもの等を先に表示することも可能である。
【００８５】
以上説明したように、本実施形態によれば、フォーカス移動の操作と番組情報キーを押す操作を行うことなく、過去に表示した番組情報を再び表示することが可能となるので、再度、番組情報を閲覧する時の操作が簡便になる。
【００８６】
＜その他の実施形態＞
尚、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８７】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００８８】
本発明を上記記録媒体に適用する場合、その記録媒体には、先に説明したフローチャートや上記実施形態で説明した処理手順に対応するプログラムコードが格納されることになる。
【００８９】
【発明の効果】
以上説明したように、本発明によれば、視聴者等がテレビ画面に表示されたＥＰＧで指定した番組に関する詳細な番組情報を視聴者等の手元で好適に表示することができる。
【図面の簡単な説明】
【図１】典型的なＥＰＧ画面例を示す概要図である。
【図２】ＥＰＧデータである短形式イベント記述子のデータ構造の一例を示す図である。
【図３】ＥＰＧデータである拡張イベント記述子のデータ構造の一例を示す図である。
【図４】テレビ受信機の遠隔操作を行うための従来の遠隔操作装置（リモコン装置）の一例を示す図である。
【図５】図１に示されるＥＰＧ画面からフォーカスが移動した場合のＥＰＧ画面の表示例を示す図である。
【図６】テレビ受信機の画面に表示された番組情報に関するＥＰＧ画面の一例を示す図である。
【図７】本発明の第１の実施形態に係るディジタルテレビ放送受信システムの細部構成を示すブロック図である。
【図８】同実施形態に係るリモコン装置本体の正面図である。
【図９】同実施形態に係るダイアログ表示命令を出力しているリモコン装置本体の正面図である。
【図１０】同実施形態に係る詳細な番組情報を表示しているリモコン装置本体の正面図である。
【図１１】同実施形態に係るＥＰＧ操作モードにおけるリモコン装置本体の正面図である。
【図１２】同実施形態に係る画面スクロール後のリモコン装置本体の正面図である。
【図１３】同実施形態に係るＤＴＶ１０１のシステム制御部が行う処理を説明するためのフローチャートである。
【図１４】同実施形態に係るリモコン装置１２１のリモコン制御部１２７が行う処理を説明するためのフローチャートである。
【図１５】本発明の第２の実施形態におけるリモコン装置において番組情報キー５０９を押下した際の表示部５０２を示す図である。
【図１６】本発明の第２の実施形態のリモコン装置の表示部の推移について説明するための図である。
【図１７】本発明の第２の実施形態のリモコン装置の表示部の推移について説明するための図である。
【図１８】本発明の第３の実施形態におけるリモコン装置本体の正面図である。
【図１９】本発明の第３の実施形態におけるリモコン装置において詳細な番組情報を表示している状態のリモコン装置本体を示す図である。
【図２０】同実施形態に係るリモコン装置で詳細な番組情報の表示を切り替えた場合の様子を示す図である。
【符号の説明】
１０１  ディジタルテレビ（ＤＴＶ）
１０２  信号処理部
１０３  表示音声制御部
１０４  音声出力部
１０５  表示部
１０６  メモリ
１０７  ＥＰＧ画像構成部
１０８  赤外線送信部
１０９  赤外線受信部
１１０  フォーカス発生部
１１１  システム制御部
１２１  リモコン装置
１２２  操作部
１２３  赤外線送信部
１２４  赤外線受信部
１２５  表示制御部
１２６  表示部
１２７  リモコン制御部である。
１５１  リモコン装置本体
１５２  表示画面
１５３  ＥＰＧ表示キー
１５４、１５５、１５６、１５７  フォーカス移動キー
１５８  番組情報キー
【図１】
2004194249.tif 000003
【図２】
2004194249.tif 000004
【図３】
2004194249.tif 000005
【図４】
2004194249.tif 000006
【図５】
2004194249.tif 000007
【図６】
2004194249.tif 000008
【図７】
2004194249.tif 000009
【図８】
2004194249.tif 000010
【図９】
2004194249.tif 000011
【図１０】
2004194249.tif 000012
【図１１】
2004194249.tif 000013
【図１２】
2004194249.tif 000014
【図１３】
2004194249.tif 000015
【図１４】
2004194249.tif 000016
【図１５】
2004194249.tif 000017
【図１６】
2004194249.tif 000018
【図１７】
2004194249.tif 000019
【図１８】
2004194249.tif 000020
【図１９】
2004194249.tif 000021
【図２０】
2004194249.tif 000022